(57)【特許請求の範囲】
【請求項１】
ロール紙をそのカール方向と逆方向に湾曲させることにより、そのロール紙のカールを除去するロール紙のカール除去装置において、
前記ロール紙を収納するロール紙トレイを備えたケース体と、
そのケース体に揺動可能に取着され、前記ロール紙の搬送路の一部を形成する揺動部材と、
前記ケース体を上方から開閉自在に覆うカバー体と、
そのカバー体に一体的に設けられ、前記揺動部材とともに、前記ロール紙の搬送路をそのカール方向と逆方向に湾曲させる搬送路形成リブと、
前記カバー体に一体に設けられ、前記カバー体の閉鎖にともなって前記ロール紙のカール方向と逆方向に湾曲する搬送路を形成する位置に前記揺動部材を案内して位置決めする案内リブとを備えたことを特徴とするロール紙のカール除去装置。
【請求項２】
前記案内リブは、前記カバー体の閉鎖にともない１の方向から前記搬送路を形成する位置に前記揺動部材を案内する第１案内リブと、前記カバー体の閉鎖にともない前記１の方向に対して反対方向から前記搬送路を形成する位置に前記揺動部材を案内する第２案内リブとを備えていることを特徴とする請求項１記載のロール紙のカール除去装置。
【請求項３】
前記案内リブは、前記揺動部材の両側部分に作用するように一対設けられていることを特徴とする請求項１又は２に記載のロール紙のカール除去装置。
【請求項４】
前記搬送路形成リブ及び前記案内リブは、前記カバー体に一体成形されていることを特徴とする請求項１から３のいずれかに記載のロール紙のカール除去装置。
【発明の詳細な説明】
【０００１】
【発明の属する技術分野】
本発明は、ロール紙を使用したファクシミリ装置等におけるロール紙のカール除去装置に関し、特に、使用部品数を少なくして組み付けを容易にすることにより、製品コストを低減したロール紙のカール除去装置に関するものである。
【０００２】
【従来の技術】
図４は、従来技術におけるロール紙のカール除去装置を部分的に拡大して図示した側断面図である。このカール除去装置４０は、ファクシミリ装置に用いられたものである。
【０００３】
このカール除去装置４０では、上カバー４１には小判状の穴４２ａを有する軸受け４２が設けられ、その軸受け４２には円柱棒状の軸４３が挿入されている。上カバー４１を回動軸４４を中心にして、プラテン４５や記録ヘッド４６の上方を覆う方向、即ち、図４中の矢印Ｃ方向に回動させると、記録フレーム４７に取着された右斜め下方への案内面を有する軸キャッチ４８により、軸４３が軸受け４２の小判状の穴４２ａ内を図４中の右方向に移動する。そして、ついには、軸４３が記録フレーム４７に取着された巻きぐせ取り板４９と図示するように対向配置された状態で、軸キャッチ４８の係止溝部に軸４３が係止（キャッチ）される。巻きぐせ取り板４９は、その屈曲部４９ａがロール紙５０側に向けて配設されているので、軸キャッチ４８に係止された軸４３が巻きぐせ取り板４９と近接して対向配置されることにより、ロール紙５０の搬送路には、ロール紙５０のカール方向と逆方向に湾曲された搬送路が形成される。ロール紙トレイ５１から引き出されたロール紙５０が、この搬送路を通過することにより、そのロール紙３のカールが除去されるように構成されている。
【０００４】
【発明が解決しようとする課題】
しかしながら、上記のカール除去装置４０では、ロール紙５０のカール方向と逆方向の湾曲を形成するために、上カバー４１、軸受け４２、軸４３、軸キャッチ４８、巻きぐせ取り板４９などの多くの部品を要している。このため、組み付け工程と部品数が増加し、製品コストが上昇してしまうという問題点があった。また、上カバー４１に設けられた軸受け４２内に軸４３を挿入し、抜け止めを行う（例えば、止め輪で固定する）工程は、非常に手間のかかる工程であり相当な時間を要してしまう。よって、かかる工程により製品コストが更に上昇してしまうという問題点があった。
【０００５】
本発明は上述した問題点を解決するためになされたものであり、使用する部品数を少なくし、組み付け工程を容易にすることにより、製品コストを低減したロール紙のカール除去装置を提供することを目的としている。
【０００６】
【課題を解決するための手段】
この目的を達成するために、請求項１記載のロール紙のカール除去装置は、ロール紙をそのカール方向と逆方向に湾曲させることにより、そのロール紙のカールを除去するものであり、前記ロール紙を収納するロール紙トレイを備えたケース体と、そのケース体に揺動可能に取着され、前記ロール紙の搬送路の一部を形成する揺動部材と、前記ケース体を上方から開閉自在に覆うカバー体と、そのカバー体に一体的に設けられ、前記揺動部材とともに、前記ロール紙の搬送路をそのカール方向と逆方向に湾曲させる搬送路形成リブと、前記カバー体に一体に設けられ、前記カバー体の閉鎖にともなって前記ロール紙のカール方向と逆方向に湾曲する搬送路を形成する位置に前記揺動部材を案内して位置決めする案内リブとを備えている。
【０００７】
この請求項１記載のロール紙のカール除去装置によれば、ロール紙の搬送路の一部は、ケース体に取着された揺動部材とカバー体に一体的に設けられた搬送路形成リブとにより、そのカール方向と逆方向に湾曲される。よって、ロール紙トレイから引き出されたロール紙は、かかる搬送路を通過することにより、カール方向と逆方向に湾曲され、その結果、カールが取り除かれる。
また、カバー体に設けられた案内リブにより、揺動部材が搬送路を形成する位置に案内されて位置決めされる。よって、カバー体を閉じるだけで、揺動部材と搬送路形成リブとにより、ロール紙のカール方向と逆方向に湾曲された搬送路が形成される。
【０００８】
請求項２記載のロール紙のカール除去装置は、請求項１記載のロール紙のカール除去装置において、前記案内リブは、前記カバー体の閉鎖にともない１の方向から前記搬送路を形成する位置に前記揺動部材を案内する第１案内リブと、前記カバー体の閉鎖にともない前記１の方向に対して反対方向から前記搬送路を形成する位置に前記揺動部材を案内する第２案内リブとを備えている。
【０００９】
請求項３記載のロール紙のカール除去装置は、請求項１又は２に記載のロール紙のカール除去装置において、前記案内リブは、前記揺動部材の両側部分に作用するように一対設けられている。
【００１０】
請求項４記載のロール紙のカール除去装置は、請求項１から３のいずれかに記載のロール紙のカール除去装置において、前記搬送路形成リブ及び前記案内リブは、前記カバー体に一体成形されている。
【００１１】
【発明の実施の形態】
以下、本発明の好ましい実施例について、添付図面を参照して説明する。本実施例のロール紙のカール除去装置は、ロール紙を使用したファクシミリ装置に用いられるものである。このカール除去装置は、主に、後述する上カバー（カバー体）５と巻きぐせ取り板（揺動部材）７とから構成されている。
【００１２】
図１は、かかるファクシミリ装置１の側断面図である。このファクシミリ装置１のケース体２には、ロール紙３を収納するロール紙トレイ４が設けられ、そのロール紙トレイ４の上方には、ロール紙３の上方を覆う上カバー５が設けられている。
【００１３】
上カバー５は、回動軸６を介してケース体２に回動可能に軸着されている。この上カバー５の回動軸６の他端側には、ロール紙トレイ４から引き出されたロール紙３の搬送路の一部を形成する搬送路形成リブ５ａが設けられている。搬送路形成リブ５ａはロール紙３の幅方向に連続して形成され、その長さはロール紙３の幅より若干長く形成されている。この搬送路形成リブ５ａの両側部分には、搬送されるロール紙３を挟み込むように、第１案内リブ５ｂと、第２案内リブ５ｃと、第３案内リブ５ｄとが、それぞれ一対ずつ設けられている。なお、この上カバー５は樹脂により射出成形されて形成されており、搬送路形成リブ５ａ、第１案内リブ５ｂ、第２案内リブ５ｃ、第３案内リブ５ｄは、いずれもこの上カバー５に一体成形されている。
【００１４】
第１案内リブ５ｂと第２案内リブ５ｃとの間には溝部５ｅが形成され、この溝部５ｅには金属製の巻きぐせ取り板７が挿入されている。この巻きぐせ取り板７は、一対の揺動軸７ｇを介して、その両側がケース体２に揺動可能に軸着されている。この巻きぐせ取り板７は、搬送路形成リブ５ａとともに、ロール紙３の搬送路をそのカール方向と逆方向に湾曲させるものである。
【００１５】
ここで、図２を参照して、この巻きぐせ取り板７の詳細を説明する。図２（ａ）は、巻きぐせ取り板７の正面図であり、図２（ｂ）はその側面図である。巻きぐせ取り板７は、主に、平板状の上板７ａと、その上板７ａの下方に配置された同じく平板状の下板７ｂとから構成されている。上板７ａと下板７ｂとは、屈曲部７ｃにて略Ｕ字状に屈曲されており、この屈曲部７ｃと上板７ａとがロール紙３の搬送路の一部を形成する。このため上板７ａ及び屈曲部７ｃの幅は、ロール紙３の幅より若干長く形成されている。
【００１６】
図１に示されるように、この屈曲部７ｃの先端が搬送路形成リブ５ａの先端と略Ｓ字状に対向配置されることにより、ロール紙３の搬送路にそのカール方向と逆方向の湾曲が形成される。この湾曲された搬送路をロール紙３が通過することにより、そのカールが除去されるのである。
【００１７】
図２において、屈曲部７ｃの両側には、一対の案内部７ｄが設けられている。この案内部７ｄと上板７ａ及び屈曲部７ｃとの間には切り込みが入れられており、切り込みの入れられた案内部７ｄの先端は、下板７ｂに向けて曲げられている。この案内部７ｄは、上カバー５の第１案内リブ５ｂ、第２案内リブ５ｃ、及び、第３案内リブ５ｄと当接され摺動される部分である。上カバー５が回動軸６を中心にしてケース体２を覆うように回動されると、案内部７ｄは、まず、いずれかの案内リブ５ｂ，５ｃ，５ｄに当接され、その後、その当接された案内リブ５ｂ，５ｃ，５ｄに沿って摺動される。案内部７ｄは、最終的に、第１案内リブ５ｂと第２案内リブ５ｃとの間の溝部５ｅへ案内され、この溝部５ｅ内へ挿入される。案内部７ｄのかかる移動により、図１に図示される所定の位置に、巻きぐせ取り板７が移動される。
【００１８】
巻きぐせ取り板７の下板７ｂの両側には、円形の軸受け７ｆを備えた一対の側板７ｅがそれぞれ取着されている。両側板７ｅの軸受け７ｆ内にはネジ等が挿入され、このネジ等が揺動軸７ｇとしてケース体２に軸着されることにより、巻きぐせ取り板７がケース体２に取着されている。
【００１９】
図１において、巻きぐせ取り板７の下流側には、上板７ａから搬送されたロール紙３を記録部１０へ搬送するための一対の搬送ガイド９が設けられている。搬送ガイド９によりロール紙３が送られる記録部１０は、サーマルプリントヘッドからなる印字ヘッド１０ａと送りローラを兼ねたプラテン１０ｂとを備えている。この記録部１０は、記録部１０へ搬送された感熱印字用紙からなるロール紙３に、印字ヘッド１０ａによって選択的に熱を印加することにより、印刷を行うためのものである。記録部１０の更に下流側には、一対の搬送ローラ１１が設けられている。記録部１０で印刷の行われたロール紙３は、プラテン１０ｂの回転に伴って所定の速度で搬送された後に、この搬送ローラ１１によりファクシミリ装置１の外部へ排出される。
【００２０】
記録部１０及び搬送ガイド９の上方には、上カバー５に沿って挿入された原稿の画像を読み取るためのスキャナ装置１２が設けられている。このスキャナ装置１２は、一端を回動軸としてケース体２に軸着されたパネルカバー１３により、その上方が覆われている。このパネルカバー１３は、その表面に、複数のボタンを備えた操作パネルやファクシミリ装置１の動作状況などを表示する液晶表示器を備えている。操作パネルに設けられたボタンが操作されることにより、ファクシミリ装置１が動作されるのである。
【００２１】
次に、図３を参照して、ロール紙３のカール方向と逆方向に湾曲された搬送路が形成される様子を説明する。この搬送路は、巻きぐせ取り板７の屈曲部７ｃと上カバー５の搬送路形成リブ５ａとにより、開放された上カバー５を矢印Ａ方向に回動することにより形成される。図３（ａ）及び（ｂ）は、上カバー５の回動の推移を順に図示しており、その状態は、上カバー５の回動が進むにつれて、図３（ａ）から図３（ｂ）に推移する。また、上カバー５が完全に閉じられた状態は図１に図示されている。
【００２２】
回動軸６を中心に上カバー５を矢印Ａ方向に回動させると、図３（ａ）に示されるように、巻きぐせ取り板７の案内部７ｄが、上カバー５の第１案内リブ５ｂに当接される。当接後も上カバー５の回動が継続されると、案内部７ｄは第１案内リブ５ｂに沿って摺動される。この摺動とともに、巻きぐせ取り板７は、揺動軸７ｇを中心にして矢印Ｂ方向に揺動される。案内部７ｄの摺動が更に継続されると、図３（ｂ）の状態を経て、案内部７ｄは、やがて第１案内リブ５ｂと第２案内リブ５ｃとの間に形成される溝部５ｅへ案内され、溝部５ｅ内へ挿入される。図１には、この状態が図示されている。
【００２３】
このように、巻きぐせ取り板７の案内部７ｄが上カバー５の溝部５ｅ内に案内され挿入されることにより、巻きぐせ取り板７の屈曲部７ｃの先端が、搬送路形成リブ５ａの先端を越えて、その上方に対向配置される。屈曲部７ｃの先端と搬送路形成リブ５ａの先端とは相反する方向に向っているので、一方７ｃが他方５ａを越えて対向配置されることにより、側面視で略Ｓ字状の搬送路が形成される。即ち、上カバー５を閉じるだけで、ロール紙３のカール方向と逆方向に湾曲された搬送路が形成されるのである。
【００２４】
ところで、巻きぐせ取り板７が、当初から図３の矢印Ｂ方向に傾いて取り付けられた場合には、上カバー５が回動されることにより、巻きぐせ取り板７の案内部７ｄは、上カバー５の第３案内リブ５ｄに当接される。当接後も上カバー５の回動が継続されると、案内部７ｄは第３案内リブ５ｄに沿って上方に持ち上げられるように摺動する。この摺動とともに、巻きぐせ取り板７は、揺動軸７ｇを中心にして反矢印Ｂ方向に揺動される。
【００２５】
案内部７ｄの摺動が更に継続されると、案内部７ｄは、第３案内リブ５ｄから搬送路形成リブ５ａを越えて、第２案内リブ５ｃへ案内される。そして、案内部７ｄは、やがて、図１に示されるように、第１案内リブ５ｂと第２案内リブ５ｃとの間に形成される溝部５ｅへ案内され、その溝部５ｅ内へ挿入される。
【００２６】
このように巻きぐせ取り板７は、上カバー５に設けられた各案内リブ５ｂ、５ｃ、５ｄにより、案内部７ｄがいずれの案内リブ５ｂ、５ｃ、５ｄに当接された場合にも、確実に所定の位置に案内される。よって、上カバー５を閉じるだけで、巻きぐせ取り板７の屈曲部７ｃと搬送路形成リブ５ａとにより、ロール紙３のカール方向と逆方向に湾曲された搬送路が形成されるのである。かかる搬送路をロール紙３が通過することにより、ロール紙３はカール方向と逆方向に曲げられ、そのカールが除去されるのである。
【００２７】
以上説明したように、本実施例のロール紙のカール除去装置は、主に、上カバー５と巻きぐせ取り板７とをケース体２に取着することにより簡単に構成されるので、その組立工程を簡略化することができる。また、巻きぐせ取り板７は、その取り付け位置が多少ずれて取り付けられた場合にも、各案内リブ５ｂ、５ｃ、５ｄにより、上カバー５の閉鎖に伴って確実に所定の位置へ移動される。よって、巻きぐせ取り板７の取り付けには高精度が要求されないので、その組立工程を簡略化することができる。従って、本実施例のカール除去装置は、少ない部品で構成され、しかも組立工程が簡略化されるので、その製品コストを低減することが可能となる。
【００２８】
また、巻きぐせ取り板７は、各案内リブ５ｂ、５ｃ、５ｄにより、その両側が案内されて所定の位置に移動されるので、巻きぐせ取り板７の全体が正確に位置決めされる。よって、巻きぐせ取り板７の幅方向に直交するロール紙３が、幅広のものであっても、その幅方向の全域にわたってロール紙３のカールを除去することができる。
【００２９】
以上、実施例に基づき本発明を説明したが、本発明は上記実施例に何ら限定されるものではなく、本発明の趣旨を逸脱しない範囲内で種々の改良変形が可能であることは容易に推察できるものである。
【００３０】
例えば、上記の実施例では、搬送路形成リブ５ａと各案内リブ５ｂ、５ｃ、５ｄは、全て上カバー５と一体に成形された。しかし、この全て又はその一部を上カバー５と別体に構成しても良い。この場合には、別体に構成された各リブ５ａ〜５ｄは、上カバー５の組み付け前に、予めネジや接着剤などにより、上カバー５と一体にされる。このように組み付け前に上カバー５と一体にすることにより、上カバー５の組付けを容易に行うことが可能となる。
【００３１】
【発明の効果】
請求項１記載のロール紙のカール除去装置によれば、ロール紙の搬送路をそのカール方向と逆方向に湾曲させる部材である搬送路形成リブと、揺動部材を搬送路を形成する位置に案内する案内リブとは、カバー体に一体的に設けられているので、組み付け部品数を減少させることができる。よって、かかる搬送路を形成するための組付け作業を容易に行うことができるので、その分、製品コストを低減することができるという効果がある。
また、カバー体に設けられた案内リブにより、揺動部材が搬送路を形成する位置に案内され位置決めされる。よって、カバー体を閉じるだけで、揺動部材と搬送路形成リブとにより、ロール紙のカール方向と逆方向に湾曲された搬送路を形成することができ、かかる搬送路をロール紙が通過することにより、ロール紙はカール方向と逆方向に曲げられ、そのカールを除去することができるという効果がある。
【００３２】
請求項２記載のロール紙のカール除去装置によれば、請求項１記載のロール紙のカール除去装置の奏する効果に加え、揺動部材の取り付け位置が多少ずれて取り付けられた場合にも、第１案内リブ及び第２案内リブにより、カバー体の閉鎖に伴って所定の位置へ揺動部材を移動することができる。よって、揺動部材の取り付けには高精度が要求されないので、その組立工程を簡略化することができる。従って、少ない部品で構成され、しかも組立工程が簡略化されるので、その製品コストを低減することが可能であるという効果がある。
【００３３】
請求項３記載のロール紙のカール除去装置によれば、請求項１又は２に記載のロール紙のカール除去装置の奏する効果に加え、揺動部材はその両側が案内リブにより案内されて所定の位置に移動されるので、揺動部材の全体をより確実に所定の位置に移動することができるという効果がある。また、案内リブにより所定の位置に移動された後の揺動部材は、その両側が案内リブによって位置決めされることにより、搬送路を移動するロール紙の負荷が加えられても、位置決めされた位置から動かされることがない。よって、ロール紙のカール方向と逆方向に湾曲された搬送路を維持することができるので、搬送路を移動されるロール紙のカールを確実に除去することができるという効果がある。
【００３４】
請求項４記載のロール紙のカール除去装置によれば、請求項１から３のいずれかに記載のロール紙のカール除去装置の奏する効果に加え、搬送路形成リブ及び案内リブはカバー体に一体成形されているので、ロール紙のカール方向と逆方向に湾曲された搬送路を少ない部品数で形成することができる。よって、部品数の減少と組み付け工程の簡略化とにより、製品コストを低減することができるという効果がある。
【図面の簡単な説明】
【図１】  本発明の一実施例であるカール除去装置を用いたファクシミリ装置の側断面図である。
【図２】  （ａ）は巻きぐせ取り板の正面図であり、（ｂ）はその側面図である。
【図３】  （ａ）は、上カバーが回動閉鎖されることにより巻きぐせ取り板が所定の位置に移動される様子を示した側断面図であり、（ｂ）は、（ａ）における上カバーの回動が更に進んだ状態を示した側断面図である。
【図４】  従来技術におけるファクシミリ装置のカール除去装置を部分的に拡大して示した側断面図である。
【符号の説明】
１                      ファクシミリ装置
２                      ケース体
３                      ロール紙
４                      ロール紙トレイ
５                      上カバー（カバー体）
５ａ                    搬送路形成リブ
５ｂ                    第１案内リブ（案内リブ）
５ｃ                    第２案内リブ（案内リブ）
５ｄ                    第３案内リブ（案内リブ）
５ｅ                    溝部
７                      巻きぐせ取り板（揺動部材）
７ａ                    上板
７ｂ                    下板
７ｃ                    屈曲部
７ｄ                    案内部
【図１】
0003694996.tif 000002
【図２】
0003694996.tif 000003
【図３】
0003694996.tif 000004
【図４】
0003694996.tif 000005